(57)【要約】【課題】景品玉を収容した玉箱の景品玉計数装置への運搬を不要とし、パチンコ遊技場の設備コストの増加を抑制し、遊技客が十分に楽しむことのできるパチンコ機の景品玉計数システムを提供する。【解決手段】複数のパチンコ機の各々の設置位置の近傍に景品玉投入口５を備え、該複数のパチンコ機の属するパチンコ島２、３の外部を経由して前記景品玉投入口５に投入された景品玉を輸送する景品玉輸送手段６と、景品玉輸送手段６によって輸送された景品玉を計数する計数手段８とを備えた計数システム１。景品玉輸送手段６は、パチンコ遊技場のパチンコ機を設置した床に埋め込まれ、床面と略々同一の平面上に透明な天井面６ｄを備えたレール状輸送手段とすることが好ましい。【選択図】  図１
2004201932.tif 000002
【特許請求の範囲】
【請求項１】
複数のパチンコ機の各々の設置位置の近傍に景品玉投入口を備えた景品玉輸送手段と、
該景品玉輸送手段によって輸送された景品玉を計数する計数手段とを備えたことを特徴とするパチンコ機の景品玉計数システム。
【請求項２】
前記景品玉輸送手段は、パチンコ遊技場のパチンコ機を設置した床に埋め込まれ、該床面と略々同一の平面上に透明な天井面を備えたレール状輸送手段であることを特徴とする請求項１記載のパチンコ機の景品玉計数システム。
【発明の詳細な説明】
【０００１】
【発明の属する技術分野】
本発明は、パチンコ遊技場においてパチンコ機の遊技客が獲得した景品玉を計数するシステムに関する。
【０００２】
【従来の技術】
従来、パチンコ遊技場において、遊技客は、パチンコ機で獲得した景品玉を玉箱に入れ、所定の場所に設置された景品玉計数装置まで持ち運び、景品玉を計数した後、景品と交換する。
【０００３】
しかし、客が大量の景品玉を獲得した場合には、客または客の依頼を受けたパチンコ遊技場の係員が大量の景品玉を収容した玉箱を景品玉計数装置まで持ち運ぶのは容易ではなく、玉箱の運搬に時間がかかり、運ぶ途中玉箱を運ぶ途中で玉箱から景品玉を床に落下させたり、重い玉箱の運搬作業によって腰痛等を引き起こすおそれがあった。
【０００４】
そこで、景品玉をパチンコ機から離れた位置にある景品玉計数装置まで持ち運ばなくとも計数することができるように、複数のパチンコ機が設けられた遊技島のコーナー等に計数装置を設け、獲得した景品玉をパチンコ機の存在する位置の近傍または遊技島で計数する装置が種々提案されている（例えば、特許文献１〜４）
【０００５】
【特許文献１】
特開平２−１５６９７５号公報
【特許文献２】
特開平４−３０８７５号公報
【特許文献３】
特開平５−６８７４０号公報
【特許文献４】
特開平９−１７３６２３号公報
【０００６】
【発明が解決しようとする課題】
しかし、上記従来のパチンコ機の景品玉管理装置等においては、各々のパチンコ機毎に計数装置を設けているため、パチンコ島の構造が複雑となり、製造コストが増加したり、多数の計数装置の設置に伴ってパチンコ遊技場の設備コストが増大するという問題があった。また、パチンコ島に組み込まれている計器で計数された景品玉の計数値は、パチンコ島の表示部等に表示され、最終的にレシート発行手段等を介してレシート等に印字され、このレシートを景品交換所に持参して景品と交換するようになっているが、客は、景品玉そのものを肉眼で確認しながら遊ぶことができないため、大量の景品玉を獲得した場合でもその実感がわかず、ゲームの面白みが殺がれるおそれもあり、出玉演出効果が低下する。
【０００７】
そこで、本発明は、上記従来のパチンコ機毎に設置した計数機または遊技島のコーナー部等に配置した計数機を用いた景品玉管理システムにおける問題点に鑑みてなされたものであって、大量の景品玉を収容した玉箱を景品玉計数装置まで持ち運ぶ必要がなく、パチンコ島の製造コストを増加させることがなく、ゲームの面白みが殺がれることなく客が十分にパチンコを楽しむことのできるパチンコ機の景品玉計数システムを提供することを目的とする。
【０００８】
【課題を解決するための手段】
上記目的を達成するため、請求項１記載の発明は、パチンコ機の景品玉計数システムであって、複数のパチンコ機の各々の設置位置の近傍に景品玉投入口を備えた景品玉輸送手段と、該景品玉輸送手段によって輸送された景品玉を計数する計数手段とを備えたことを特徴とする。
【０００９】
そして、請求項１記載の発明によれば、パチンコ機の近傍に位置する景品玉投入口に景品玉を投入すると、景品玉が景品玉輸送手段によって計数手段まで輸送されて計数されるため、客等は景品玉を収容した玉箱を景品玉計数装置まで持ち運ぶ必要がなく、パチンコ島は従来のものをそのまま使用することができるため、パチンコ島の製造コストを増加させることがなく、客は景品玉そのものを肉眼で確認しながら遊ぶことができるため、ゲームの面白みが殺がれることなく十分にパチンコを楽しむことのできるパチンコ機の景品玉計数システムを提供することができる。
【００１０】
また、請求項２記載の発明は、請求項１記載のパチンコ機の景品玉計数システムにおいて、前記景品玉輸送手段は、パチンコ遊技場のパチンコ機を設置した床に埋め込まれ、該床面と略々同一の平面上に透明な天井面を備えたレール状輸送手段であることを特徴とする。
【００１１】
請求項２記載の発明によれば、パチンコ機の設置床に埋め込まれた景品玉輸送手段を透明な天井面を備えたレール状輸送手段としたため、客は、景品玉がパチンコ機近傍から計数手段まで輸送される様子を視認することができ、安心して景品玉の輸送を見届けることができる。
【００１２】
【発明の実施の形態】
次に、本発明の実施の形態について図面を参照しながら説明する。
【００１３】
図１は、本発明にかかるパチンコ機の景品玉計数システム（以下、適宜「計数システム」と略称する）の一実施の形態を示し、この計数システム１は、大別して、複数の景品玉投入口５を備えた景品玉輸送手段としての床下レール６と、床下レール６によって輸送された景品玉を上方に持ち上げる玉上げリフト７と、玉上げリフト７から排出された景品玉を一時的に収容するタンク１０と、タンク１０から供給された景品玉を計数する計数装置８とを備える。
【００１４】
景品玉投入口５は、各パチンコ島２、３の隣接する２つの図示しないパチンコ機に相対向して配置された椅子４の間の床面に設けられ、蓋５ａ（図１（ｂ）参照）を開けて景品玉を収容した玉箱９を載置すると、周知の構造により玉箱９から景品玉が排出され、床下レール６に向かって流れるように構成される。
【００１５】
床下レール６は、パチンコ島２、３の長手方向に対して平行に延設された幹部６ａと、この幹部６ａから枝分かれした複数の枝部６ｂと、幹部６ａから玉上げリフト７までの間の終端部６ｃとで構成される。床下レール６の天井面は、透明なガラス板６ｄで覆われ、ガラス板６ｄを通して床下レール６を通過する景品玉が外部より視認できるように構成される。また、ガラス板６ｄは、適宜開閉可能に構成され、床下レール６上を通過する景品玉が滞留したような場合等に対応することができる。
【００１６】
玉上げリフト７は、床下レール６の終端部６ｃの端部に配置され、上下方向に移動する多数のバケット７ａによって景品玉を床下レール６からタンク１０まで輸送する。
【００１７】
タンク１０は、玉上げリフト７からの景品玉を受け、ストッパを解除することによって計数装置８内に景品玉を落下させる。
【００１８】
計数装置８は、玉上げリフト７から供給される景品玉を計数して計数値を表示するとともに、レシートに計数値を印字する。
【００１９】
次に、上記構成を有する計数システム１の動作について図１を参照しながら説明する。
【００２０】
椅子４に座ってパチンコ機で遊んでいた客が、大量の景品玉を獲得すると、客は、係員を呼び出し、遊技の終了を告げる。すると、係員は、ランプ表示等で他の客がこの計数システム１を使用していないことを確認し、図示しないボタンを押下して蓋５ａを開閉可能とした後、景品玉投入口５の蓋５ａを開けて、玉箱９を景品玉投入口５に載置する。
【００２１】
すると、上述のように、玉箱９から景品玉が排出され、床下レール６に向かって流れる。そして、景品玉は、幹部６ａ、枝部６ｂ、終端部６ｃを経て、玉上げリフト７に導かれ、玉上げリフト７のバケット７ａによって上方に持ち上げられた後タンク１０に排出され、さらにタンク１０から計数装置８に供給されて計数される。景品玉の計数値は、計数装置８に表示されるとともに、レシートに印字され、客は、レシートに記載された景品玉の数に応じた景品を受け取る。
【００２２】
尚、上記実施の形態においては、パチンコ遊技場の最も好ましいレイアウトを考慮して床下レール６をパチンコ遊技場のパチンコ機を設置した床に埋め込んだが、床下レール６は、必ずしも床に埋め込む必要はなく、少なくとも、景品玉投入口５から計数装置８まで景品玉を輸送することができればよい。尚、床下レール６の傾斜が取れない場合には、ベルトコンベヤ等を部分的に用いて景品玉を輸送してもよい。
【００２３】
また、上記実施の形態においては、２つのパチンコ機に共通して使用することができるように景品玉投入口５を設けたが、２台のパチンコ機に対して１つの景品玉投入口５を設けるのではなく、各パチンコ機毎に景品玉投入口５を設けたり、パチンコ機のレイアウトによっては、３台のパチンコ機に対して１つの景品玉投入口５を設ける等、少なくともパチンコ機の近傍において景品玉を景品玉投入口５に容易に投入することができればよい。
【００２４】
【発明の効果】
以上説明したように、本発明によれば、景品玉を収容した玉箱の景品玉計数装置への運搬を不要とし、パチンコ遊技場の設備コストの増加を抑制し、遊技客が十分に楽しむことのできるパチンコ機の景品玉計数システムを提供することができる。
【図面の簡単な説明】
【図１】本発明にかかるパチンコ機の景品玉計数システムの一実施の形態を示す図であって、（ａ）は平面図、（ｂ）は（ａ）のＡ−Ａ断面図、（ｃ）は（ａ）のＢ−Ｂ断面図である。
【符号の説明】
１    計数システム
２    パチンコ島
３    パチンコ島
４    椅子
５    景品玉投入口
５ａ  蓋
６    床下レール
６ａ  幹部
６ｂ  枝部
６ｃ  終端部
６ｄ  ガラス板
７    玉上げリフト
７ａ  バケット
８    計数装置
９    玉箱
１０  タンク
【図１】
2004201932.tif 000003
【手続補正書】
【提出日】平成15年5月12日(2003.5.12)
【手続補正１】
【補正対象書類名】明細書
【補正対象項目名】請求項１
【補正方法】変更
【補正の内容】
【請求項１】
複数のパチンコ機の各々の設置位置の近傍に景品玉投入口を備え、該複数のパチンコ機の属するパチンコ島の外部を経由して前記景品玉投入口に投入された景品玉を輸送する景品玉輸送手段と、
該景品玉輸送手段によって輸送された景品玉を計数する計数手段とを備えたことを特徴とするパチンコ機の景品玉計数システム。
【手続補正２】
【補正対象書類名】明細書
【補正対象項目名】０００８
【補正方法】変更
【補正の内容】
【０００８】
【課題を解決するための手段】
上記目的を達成するため、請求項１記載の発明は、パチンコ機の景品玉計数システムであって、複数のパチンコ機の各々の設置位置の近傍に景品玉投入口を備え、該複数のパチンコ機の属するパチンコ島の外部を経由して前記景品玉投入口に投入された景品玉を輸送する景品玉輸送手段と、該景品玉輸送手段によって輸送された景品玉を計数する計数手段とを備えたことを特徴とする。


【手続補正３】
【補正対象書類名】明細書
【補正対象項目名】０００９
【補正方法】変更
【補正の内容】
【０００９】
そして、請求項１記載の発明によれば、パチンコ機の近傍に位置する景品玉投入口に景品玉を投入すると、該パチンコ機の属するパチンコ島の外部を経由して景品玉が景品玉輸送手段によって計数手段まで輸送されて計数されるため、客等は景品玉を収容した玉箱を景品玉計数装置まで持ち運ぶ必要がなく、パチンコ島は従来のものをそのまま使用することができるため、パチンコ島の製造コストを増加させることがなく、客は景品玉そのものを肉眼で確認しながら遊ぶことができるため、ゲームの面白みが殺がれることなく十分にパチンコを楽しむことのできるパチンコ機の景品玉計数システムを提供することができる。




【手続補正書】
【提出日】平成15年8月6日(2003.8.6)
【手続補正１】
【補正対象書類名】明細書
【補正対象項目名】特許請求の範囲
【補正方法】変更
【補正の内容】
【特許請求の範囲】
【請求項１】
複数のパチンコ機の各々の設置位置の近傍の、該複数のパチンコ機の属するパチンコ島の外部の床面に設けられた景品玉投入口と、
前記パチンコ島の外部の、パチンコ遊技場のパチンコ機を設置した床に埋め込まれ、該床面と略々同一の平面上に透明な天井面を備え、前記景品玉投入口に投入された景品玉を輸送するレール状景品玉輸送手段と、
該レール状景品玉輸送手段によって輸送された景品玉を計数する計数手段とを備えたことを特徴とするパチンコ機の景品玉計数システム。
【手続補正２】
【補正対象書類名】明細書
【補正対象項目名】０００８
【補正方法】変更
【補正の内容】
【０００８】
【課題を解決するための手段】
上記目的を達成するため、請求項１記載の発明は、パチンコ機の景品玉計数システムであって、複数のパチンコ機の各々の設置位置の近傍の、該複数のパチンコ機の属するパチンコ島の外部の床面に設けられた景品玉投入口と、前記パチンコ島の外部の、パチンコ遊技場のパチンコ機を設置した床に埋め込まれ、該床面と略々同一の平面上に透明な天井面を備え、前記景品玉投入口に投入された景品玉を輸送するレール状景品玉輸送手段と、該レール状景品玉輸送手段によって輸送された景品玉を計数する計数手段とを備えたことを特徴とする。


【手続補正３】
【補正対象書類名】明細書
【補正対象項目名】０００９
【補正方法】変更
【補正の内容】
【０００９】
そして、請求項１記載の発明によれば、パチンコ機の近傍の、該パチンコ機の属するパチンコ島の外部の床面に位置する景品玉投入口に景品玉を投入すると、該パチンコ機の属するパチンコ島の外部を経由して景品玉がレール状景品玉輸送手段によって計数手段まで輸送されて計数されるため、客等は景品玉を収容した玉箱を景品玉計数装置まで持ち運ぶ必要がなく、パチンコ島は従来のものをそのまま使用することができるため、パチンコ島の製造コストを増加させることがなく、客は景品玉そのものを肉眼で確認しながら遊ぶことができるため、ゲームの面白みが殺がれることなく十分にパチンコを楽しむことができる。これに加え、レール状景品玉輸送手段は、パチンコ機の設置床に埋め込まれるとともに、透明な天井面を備えるため、客は、景品玉がパチンコ機近傍の、複数のパチンコ機を設置した床面に設けられた景品玉投入口から計数手段まで輸送される様子を視認することができ、安心して景品玉の輸送を見届けることができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】